(57)【特許請求の範囲】
【請求項１】
内視鏡を洗浄・消毒するため内視鏡洗浄消毒装置であって、
内視鏡内への送液をするための洗浄チューブと、
内視鏡洗浄消毒装置と前記洗浄チューブとを接続する第１接続部と、
前記内視鏡と前記洗浄チューブとを直接又はアタッチメントを介して接続する第２接続部と、
を備え、
前記第１接続部に、フィルターを備えることを特徴とする内視鏡洗浄消毒装置。
【請求項２】
前記第１接続部が、洗浄消毒槽内に備えられる洗浄チューブ接続用コネクタと、前記洗浄チューブの一端に備えられる洗浄装置接続用コネクタと、によって構成され、
前記フィルターが、前記洗浄装置接続用コネクタに備えられることを特徴とする請求項１に記載の内視鏡洗浄消毒装置。
【請求項３】
前記フィルターのメッシュの目開きが、０．１ｍｍ〜１．０ｍｍであることを特徴とする請求項１又は２に記載の内視鏡洗浄消毒装置。
【請求項４】
内視鏡洗浄消毒装置と内視鏡とを接続するための洗浄チューブユニットであって、
内視鏡内への送液をするための洗浄チューブと、
前記洗浄チューブの一端に備えられる内視鏡洗浄消毒装置と接続するための洗浄装置接続用コネクタと、
前記洗浄チューブの他端に備えられる内視鏡と直接又はアタッチメントを介して接続するための内視鏡接続用コネクタと、
を備え、
前記洗浄装置接続用コネクタに、フィルターを備えることを特徴とする洗浄チューブユニット。
【発明の詳細な説明】
【技術分野】
【０００１】
本発明は、医療用内視鏡を洗浄・消毒する内視鏡洗浄消毒装置、及びこれに用いる洗浄チューブユニットに関する。
【背景技術】
【０００２】
医療用の内視鏡は、人体内部の観察等を目的とし、体内に挿入して使用される。従って、その使用後においては、洗浄・消毒を行う必要があり、そのための装置として内視鏡洗浄装置が用いられている。
このような内視鏡洗浄装置では、内視鏡と接続するための洗浄チューブが備えられており、これに関する従来技術が特許文献１によって開示されている。
【先行技術文献】
【特許文献】
【０００３】
【特許文献１】特開２０１５−１１９７５７
【発明の概要】
【発明が解決しようとする課題】
【０００４】
内視鏡の洗浄・消毒工程では、洗浄チューブを介して内視鏡内へ各種の液体（洗浄液、消毒液、すすぎ水）やエアが供給される。従って、これらの液体やエアに異物が混入してしまうと、これが内視鏡内へ入ってしまうおそれがある。内視鏡内への異物の混入は、内視鏡の汚損や破損の原因となるおそれがあり、衛生的な問題ともなり得る。
このようなことを防止するため、内視鏡洗浄装置内の各管路には、水フィルターやエアフィルターが各所に配されている。これにより、給水経路や薬液供給経路、エア供給経路等から異物が侵入することは基本的にはない。
しかしながら、内視鏡洗浄装置は加工部品で成り立つものであり、加工時（切削加工等）のバリや金属粉などを完全に除去することは難しく、このようなバリや金属粉などが予期しない経路から異物として侵入してしまうおそれがあった。
【０００５】
本発明は、上記の点に鑑み、内視鏡内への異物の混入を効果的に抑止することが可能な内視鏡洗浄消毒装置、及びこれに用いる洗浄チューブユニットを提供することを目的とする。
【課題を解決するための手段】
【０００６】
（構成１）
内視鏡を洗浄・消毒するため内視鏡洗浄消毒装置であって、内視鏡内への送液をするための洗浄チューブと、内視鏡洗浄消毒装置と前記洗浄チューブとを接続する第１接続部と、前記内視鏡と前記洗浄チューブとを直接又はアタッチメントを介して接続する第２接続部と、を備え、前記第１接続部、前記第２接続部の何れかに、フィルターを備えることを特徴とする内視鏡洗浄消毒装置。
【０００７】
（構成２）
前記第１接続部が、洗浄消毒槽内に備えられる洗浄チューブ接続用コネクタと、前記洗浄チューブの一端に備えられる洗浄装置接続用コネクタと、によって構成され、前記フィルターが、前記洗浄装置接続用コネクタに備えられることを特徴とする構成１に記載の内視鏡洗浄消毒装置。
【０００８】
（構成３）
内視鏡洗浄消毒装置と内視鏡とを接続するための洗浄チューブユニットであって、内視鏡内への送液をするための洗浄チューブと、前記洗浄チューブの一端に備えられる内視鏡洗浄消毒装置と接続するための洗浄装置接続用コネクタと、前記洗浄チューブの他端に備えられる内視鏡と直接又はアタッチメントを介して接続するための内視鏡接続用コネクタと、を備え、前記洗浄装置接続用コネクタ、前記内視鏡接続用コネクタの何れかに、フィルターを備えることを特徴とする洗浄チューブユニット。
【０００９】
（構成４）
前記フィルターが、前記洗浄装置接続用コネクタに備えられることを特徴とする構成３に記載の洗浄チューブユニット。
【発明の効果】
【００１０】
本発明の内視鏡洗浄消毒装置及び洗浄チューブユニットによれば、内視鏡への各種の液体（洗浄液、消毒液、すすぎ水）やエアの供給経路の最も下流側の部材である洗浄チューブユニット部分においてフィルターを備えるため、内視鏡内への異物の混入を効果的に抑止することができる。
【図面の簡単な説明】
【００１１】
【図１】本発明に係る実施形態の内視鏡洗浄消毒装置の外観を示す斜視図
【図２】実施形態に係る内視鏡洗浄消毒装置の洗浄消毒槽部分を示す上面図
【図３】洗浄消毒槽に設けられるカプラを示す図
【図４】洗浄チューブを示す斜視図
【図５】洗浄チューブに設けられるコネクタを示す図
【図６】洗浄チューブに設けられるフィルターを示す図
【図７】内視鏡を取り付けた状態の洗浄消毒槽部分を示す斜視図
【図８】洗浄消毒槽に設けられるカプラと洗浄チューブに設けられるコネクタを接続した状態を示す図
【図９】洗浄消毒槽に設けられる循環口を示す図
【発明を実施するための形態】
【００１２】
以下、本発明の実施態様について、図面を参照しながら具体的に説明する。なお、以下の実施態様は、本発明を具体化する際の一形態であって、本発明をその範囲内に限定するものではない。
【００１３】
図１は、本発明に係る実施形態の内視鏡洗浄装置の外観を示す斜視図である。同図に示されるように、内視鏡洗浄消毒装置１は、直方体状の本体の上部に、洗浄消毒槽１１を備えており、当該洗浄消毒槽１１に内視鏡をセットし、洗浄槽カバー１３を閉めた上で（洗浄槽カバー１３を開ける際は、開閉ペダル１４を踏むことによって開ける）、ユーザに対する入出力部であるタッチパネル１５を操作することで、内視鏡の洗浄・消毒が行われる装置である。
洗浄消毒槽１１に内視鏡をセットする際には、内視鏡の吸引チャネル、送気送水チャネル、鉗子チャネル、鉗子起上チャネルに、洗浄チューブ（洗浄液・消毒液・すすぎ水や、エアを内視鏡内に供給するチューブ）を接続し、中央部の島１１１に巻き付けるように、内視鏡を載置する。
これにより、洗浄消毒槽１１内に洗浄液・消毒液が溜まった状態で内視鏡の外部が洗浄・消毒されると共に、内部も同時に洗浄・消毒される。
【００１４】
図２は、内視鏡洗浄消毒装置１の主に洗浄消毒槽１１付近を示す上面図である。
図２に示されるように、洗浄消毒槽１１には、カプラ２６（吸引カプラ２６１、送気送水カプラ２６２、鉗子起上カプラ２６３、鉗子カプラ２６４）が備えられる。これらの各カプラ２６は、内視鏡の吸引チャネル、送気送水チャネル、鉗子起上チャネル、鉗子チャネルと、洗浄チューブを介してそれぞれ接続するためのものである。即ち、カプラ２６は洗浄チューブ接続用コネクタである。また、洗浄消毒槽１１には、循環口１２が備えられる。
図３はカプラ２６を示す図であり、（ａ）：斜視図、（ｂ）：上面図、（ｃ）：（ｂ）のＡ−Ａ線に沿った断面図である。本実施形態においては、吸引カプラ２６１、送気送水カプラ２６２、鉗子起上カプラ２６３、鉗子カプラ２６４の何れも同様の構成（図３に示したもの）である。
カプラ２６は、内部に各液やエアを通すための挿通孔が形成され、洗浄チューブ２の洗浄装置接続用コネクタ２１を接続（係合）させるための鍔部２６１を備える。
【００１５】
図４は、洗浄チューブ２（洗浄チューブユニット）を示す図である（図示は１本のみであるが、各カプラ２６（吸引カプラ２６１、送気送水カプラ２６２、鉗子起上カプラ２６３、鉗子カプラ２６４）と、各チャネル（吸引チャネル、送気送水チャネル、鉗子起上チャネル、鉗子チャネル）とを接続するために複数本使用される）。
洗浄チューブ２は、チューブ２３と、洗浄装置接続用コネクタ２１と、内視鏡接続用コネクタ２２と、を備える。
洗浄装置接続用コネクタ２１は、内視鏡洗浄消毒装置１の各カプラ２６と接続されるコネクタであり、洗浄装置接続用コネクタ２１とカプラ（洗浄チューブ接続用コネクタ）２６とによって第１接続部が構成される。
内視鏡接続用コネクタ２２は、内視鏡の各チャネルと接続されるコネクタの一例であり、内視鏡の機種やチャンネルによりその形態は様々である。これらのコネクタにより、第２接続部が構成される。なお、コネクタと内視鏡のチャネルが、各社の内視鏡に適応するアタッチメントを介して接続される場合もあり、この場合には、コネクタとアタッチメントとで、第２接続部が構成される。
図５は洗浄装置接続用コネクタ２１を示す図であり、（ａ）：斜視図、（ｂ）：正面図、（ｃ）：（ｂ）のＡ−Ａ線に沿った断面図である。
洗浄装置接続用コネクタ２１は、本体部２１１に、洗浄チューブ２を接続するためのニップル部２１２と、内視鏡洗浄消毒装置１の各カプラ２６に係合させるための係合部２１３が形成され、本体部２１１の内部に、フィルター２４を備える。
【００１６】
図６は、洗浄装置接続用コネクタ２１に備えられるフィルター２４を示す図であり、（ａ）：上面図、（ｂ）：（ａ）のＡ−Ａ線に沿った断面図である。
本実施形態におけるフィルター２４は樹脂によって成形（一体成型）され、メッシュの目開きが０．５ｍｍであり、線径が０．３ｍｍである。また、メッシュ部分の厚みは０．５ｍｍ以下である。
なお、目開きとしては、０．１〜１ｍｍの範囲とすることが好ましい。異物捕集の観点から１ｍｍ以下であることが望ましく、圧力損失低減の観点から０．１ｍｍ以上であることが望ましいものである。
【００１７】
図７は、洗浄チューブ２によって内視鏡を取り付けた状態の洗浄消毒槽１１部分を示す斜視図である。
上述したごとく、洗浄消毒槽１１に備えられる各カプラ２６（吸引カプラ２６１、送気送水カプラ２６２、鉗子起上カプラ２６３、鉗子カプラ２６４）と、内視鏡２の各チャネル（吸引チャネル、送気送水チャネル、鉗子起上チャネル、鉗子チャネル）と、をそれぞれ洗浄チューブ２によって接続し、中央部の島１１１に巻き付けるように、内視鏡を載置することで、洗浄消毒槽１１に内視鏡をセットするものである。
図８は、内視鏡洗浄消毒装置１のカプラ２６と、洗浄チューブ２の洗浄装置接続用コネクタ２１とを接続した状態を示す図であり、（ａ）：斜視図、（ｂ）：上面図、（ｃ）：（ｂ）のＡ−Ａ線に沿った断面図である。同図に示されるように、カプラ２６が洗浄装置接続用コネクタ２１の内部に入り込み、カプラ２６の鍔部２６１に係合部２１３が係合されることで、カプラ２６と洗浄装置接続用コネクタ２１が密着する。
また、同図から理解されるように、内視鏡洗浄消毒装置１からの液体（洗浄液・消毒液・すすぎ水）又はエアの供給口（装置としての最下流）であるカプラ２６の下流側にフィルター２４が配されることになる。
【００１８】
図９は、洗浄消毒槽１１に備えられる循環口１２を示す図である。
循環口１２は、洗浄消毒槽１１の液体を排出するための排出口であると同時に、洗浄消毒槽１１に溜めた洗浄液や消毒液を循環させるための循環口でもある。即ち、本実施形態の内視鏡洗浄消毒装置１は、洗浄消毒槽１１に溜めた洗浄液や消毒液を循環させることで内視鏡３内への送液を行うものである。
内視鏡洗浄消毒装置１は、この循環口１２において比較的大きな異物（ゴミ等）を捕集するためのフィルター部材１２１を備え、これをロックするためのロック機構を備えている。当該ロック機構は、循環口本体部１２２に備えられるロック凸部１２２１と、フィルター部材１２１に備えられるロック掛部１２１１と、によって構成される。
図９（ｃ）に示されるように、循環口本体部１２２（実際には洗浄消毒槽１１の底部に埋設されている）にフィルター部材１２１をはめこんで回すことにより、フィルター部材１２１がロックされる。
これにより、循環口本体部１２２とフィルター部材１２１が密着する構造となり、循環口１２における異物捕集能力が担保される。
【００１９】
以上のごとく、本実施形態の内視鏡洗浄消毒装置１によれば、洗浄チューブ２の洗浄装置接続用コネクタ２１にフィルター２４が備えられる。即ち、内視鏡洗浄消毒装置１から内視鏡３への液体（洗浄液・消毒液・すすぎ水）又はエアの供給口（装置としての最下流）であるカプラ２６の下流側にフィルター２４が配される。
従って、例えば加工時（切削加工等）のバリや金属粉などが予期しない経路から異物として侵入した場合においても、内視鏡への各種の液体やエアの供給経路の最も下流となる位置にフィルターを備えるため、内視鏡内への異物の混入を効果的に抑止することができる。
また、洗浄装置接続用コネクタ２１の内部をのぞき込むことによって、フィルター２４の目詰まりの状態を目視で容易に確認できると共に、フィルター２４で補修した異物の除去も容易である。
【００２０】
なお、本実施形態では、洗浄装置接続用コネクタ２１にフィルター２４を備えるものを例としたが、内視鏡接続用コネクタ２２（第２接続部）にフィルターを備えるようにしてもよい。
また、第１接続部であるカプラ２６（洗浄チューブ接続用コネクタ）にフィルターを備えるようにしてもよいが、上記した目詰まりの状態の確認や、フィルターの掃除（若しくは交換）の作業性と言う面では、洗浄装置接続用コネクタ２１や内視鏡接続用コネクタ２２にフィルターを備えるものの方が優れている。
なお、チューブ２に対してフィルターを設けることも可能ではあるが、フィルターの掃除（若しくは交換）の作業性が極めて低下することや、フィルターを設けた部分におけるチューブ２の可撓性が低下し、これにより、狭い洗浄消毒槽の中での取り回し性が低下するため、好ましくない。
【符号の説明】
【００２１】
１．．．内視鏡洗浄消毒装置
２．．．洗浄チューブ（洗浄チューブユニット）
１１．．．洗浄消毒槽
２１．．．洗浄装置接続用コネクタ（第１接続部）
２２．．．内視鏡接続用コネクタ（第２接続部）
２６．．．カプラ（洗浄チューブ接続用コネクタ（第１接続部））
【図１】
0006801855.tif 000002
【図２】
0006801855.tif 000003
【図３】
0006801855.tif 000004
【図４】
0006801855.tif 000005
【図５】
0006801855.tif 000006
【図６】
0006801855.tif 000007
【図７】
0006801855.tif 000008
【図８】
0006801855.tif 000009
【図９】
0006801855.tif 000010